(57)【特許請求の範囲】
【請求項１】
インアクティブ・クラウド・サービス・ユーザを特定するステップと、
前記インアクティブ・クラウド・サービス・ユーザがウェイクアップ可能な状態であるか否かを判定するステップと、
前記インアクティブ・クラウド・サービス・ユーザがウェイクアップ可能な状態ではないと判定した場合、操作を行わないが、前記インアクティブ・クラウド・サービス・ユーザがウェイクアップ可能な状態であると判定した場合、前記インアクティブ・クラウド・サービス・ユーザにリマインド情報を送信するステップと、を含み
前記インアクティブ・クラウド・サービス・ユーザがウェイクアップ可能な状態であるか否かを判定するステップは、
他のアクティブ・クラウド・サービス・ユーザの通信記録を取得するステップと、
前記通信記録には前記インアクティブ・クラウド・サービス・ユーザとの通信記録が含まれるか否かを判定するステップと、
前記判定が肯定である場合、前記インアクティブ・クラウド・サービス・ユーザがウェイクアップ可能な状態であると特定するステップと、を含む
ことを特徴とするリマインド方法。
【請求項２】
前記通信記録が通話記録、ＳＭＳ記録、及び／または、メール記録を含む、ことを特徴とする請求項１に記載の方法。
【請求項３】
前記インアクティブ・クラウド・サービス・ユーザにリマインド情報を送信するステップは、
前記インアクティブ・クラウド・サービス・ユーザの連絡先情報を取得するステップと、
前記連絡先情報に応じて、前記インアクティブ・クラウド・サービス・ユーザにリマインド情報を送信するステップと、を含むことを特徴とする請求項１に記載の方法。
【請求項４】
前記インアクティブ・クラウド・サービス・ユーザの連絡先情報を取得するステップは、
前記インアクティブ・クラウド・サービス・ユーザの登録時に提供した連絡先情報を読み込むステップと、
前記他のアクティブ・クラウド・サービス・ユーザと前記インアクティブ・クラウド・サービス・ユーザとの通信記録における前記インアクティブ・クラウド・サービス・ユーザの連絡先情報を読み込むステップと、を含むことを特徴とする請求項３に記載の方法。
【請求項５】
前記連絡先情報は、電話番号情報、メール情報、インスタント通信アカウント情報、およびユーザがパブリック・プラットフォームに登録して生成した個人アカウント情報を含むことを特徴とする請求項４に記載の方法。
【請求項６】
サーバに適用されているリマインド装置であって、
インアクティブ・クラウド・サービス・ユーザを特定するためのインアクティブ・クラウド・サービス・ユーザ特定モジュールと、
前記インアクティブ・クラウド・サービス・ユーザがウェイクアップ可能な状態であるか否かを判定するためのインアクティブ・クラウド・サービス・ユーザ判定モジュールと、
前記インアクティブ・クラウド・サービス・ユーザがウェイクアップ可能な状態である場合、前記インアクティブ・クラウド・サービス・ユーザにリマインド情報を送信するためのリマインド情報送信モジュールと、を含み、
前記インアクティブ・クラウド・サービス・ユーザ判定モジュールは、
他のアクティブ・クラウド・サービス・ユーザの通信記録を取得するための通信記録取得ユニットと、
前記通信記録には前記インアクティブ・クラウド・サービス・ユーザとの通信記録が含まれるか否かを判定し、肯定である場合、ウェイクアップ状態判定ユニットをトリガーするための通信記録判定ユニットと、
前記インアクティブ・クラウド・サービス・ユーザがウェイクアップ可能な状態であることを特定するためのウェイクアップ状態判定ユニットと、を含む
ことを特徴とするリマインド装置。
【請求項７】
前記通信記録は、通話記録、ＳＭＳ記録、及び／またはメール記録を含む、ことを特徴とする請求項６に記載の装置。
【請求項８】
前記リマインド情報送信モジュールは、
前記インアクティブ・クラウド・サービス・ユーザの連絡先情報を取得するためのインアクティブ・クラウド・サービス・ユーザ情報取得ユニットと、
前記連絡先情報に応じて、前記インアクティブ・クラウド・サービス・ユーザにリマインド情報を送信するための情報送信ユニットと、を含むことを特徴とする請求項６に記載の装置。
【請求項９】
前記インアクティブ・クラウド・サービス・ユーザ情報取得ユニットは、
前記インアクティブ・クラウド・サービス・ユーザの登録時に提供した連絡先情報を読み込むための登録資料情報読込ユニットと、
前記他のアクティブ・クラウド・サービス・ユーザと前記インアクティブ・クラウド・サービス・ユーザとの通信記録における前記インアクティブ・クラウド・サービス・ユーザの連絡先情報を読み込むための連絡先読込ユニットと、を含むことを特徴とする請求項８に記載の装置。
【請求項１０】
前記連絡先情報は、電話番号情報、メール情報、インスタント通信アカウント情報、及びユーザがパブリック・プラットフォームに登録して生成した個人アカウント情報を含むことを特徴とする請求項９に記載の装置。
【請求項１１】
プロセッサと、
プロセッサにより実行可能な指令を記憶するためのメモリと、を含み、
前記プロセッサは、
インアクティブ・クラウド・サービス・ユーザを特定し、
前記インアクティブ・クラウド・サービス・ユーザがウェイクアップ可能な状態であるか否かを判定し、
前記インアクティブ・クラウド・サービス・ユーザがウェイクアップ可能な状態ではない場合、操作を行わないが、前記インアクティブ・クラウド・サービス・ユーザがウェイクアップ可能な状態である場合、前記インアクティブ・クラウド・サービス・ユーザにリマインド情報を送信し、
前記インアクティブ・クラウド・サービス・ユーザがウェイクアップ可能な状態であるか否かを判定するステップは、
他のアクティブ・クラウド・サービス・ユーザの通信記録を取得するステップと、
前記通信記録には前記インアクティブ・クラウド・サービス・ユーザとの通信記録が含まれるか否かを判定するステップと、
前記判定が肯定である場合、前記インアクティブ・クラウド・サービス・ユーザがウェイクアップ可能な状態であると特定するステップと、を含む
ことを特徴とするサーバ。
【請求項１２】
プロセッサに実行されることにより、請求項１から請求項５のいずれかに記載の方法を実現することを特徴とするプログラム。
【請求項１３】
請求項１２に記載のプログラムが記録された記録媒体。
【発明の詳細な説明】
【相互参照】
【０００１】
本願は、出願番号がＣＮ２０１５１０６４０４１９．８であって、出願日が２０１５年９月３０日である中国特許出願に基づき優先権を主張し、当該中国特許出願のすべてのコンテンツを本願に援用する。
【技術分野】
【０００２】
本発明はコンピュータ技術分野に関し、特に、リマインド方法およびその装置、プログラム及び記録媒体に関する。
【背景技術】
【０００３】
インターネットワークサービスの発展に従い、クラウドサービスの適用は多くのユーザに好まれて利用されている。
【０００４】
クラウドサービスを利用することによって、ユーザはクラウドサーバーにおいて携帯電話における連絡先、ＳＭＳ、写真、メモなどの各種類のデータを、バックアップ及びオンライン管理することができ、携帯電話のデータ内容が欠落した時に携帯電話のユーザがクラウドサーバーから即時にそれを読み出すことができる。
【０００５】
所定の時間帯内に、クラウドサービスのユーザは終始にクラウドサービスの関連機能を利用しない場合、このようなクラウドサービスのユーザを「インアクティブ・クラウド・サービス・ユーザ」と称する。
【０００６】
現在、如何に引き続きクラウドサービス機能を利用するようインアクティブ・クラウド・サービス・ユーザをウェイクアップするかということについては、まだ解決方案はない。
【発明の概要】
【０００７】
従来技術における問題を解消するために、本発明はインアクティブ・ユーザを即時にウェイクアップすることができるリマインド方法およびその装置、プログラム及び記録媒体を提供する。
【０００８】
本発明の実施例の第１の局面によれば、リマインド方法を提供し、
インアクティブ・ユーザを特定するステップと、
前記インアクティブ・ユーザがウェイクアップ可能な状態であるか否かを判定し、前記インアクティブ・ユーザがウェイクアップ可能な状態ではないと判定した場合、操作を行わないが、前記インアクティブ・ユーザがウェイクアップ可能な状態であると判定した場合、前記インアクティブ・ユーザにリマインド情報を送信するステップと、を含む。
【０００９】
更に、前記インアクティブ・ユーザがウェイクアップ可能な状態であるか否かを判定するステップは、
他のアクティブ・ユーザの通信記録を取得するステップと、
前記通信記録には前記インアクティブ・ユーザとの通信記録が含まれるか否かを判定し、肯定である場合、前記インアクティブ・ユーザがウェイクアップ可能な状態であると特定するステップと、を含む。
【００１０】
ここで、前記通信記録が通話記録、ＳＭＳ記録、及び／または、メール記録を含む。
更に、前記インアクティブ・ユーザにリマインド情報を送信するステップは、
前記インアクティブ・ユーザの連絡先情報を取得するステップと、
前記連絡先情報に応じて、前記インアクティブ・クラウド・サービス・ユーザにリマインド情報を送信するステップと、を含む。
【００１１】
更に、前記インアクティブ・ユーザの連絡先情報を取得するステップは、
前記インアクティブ・ユーザの登録時に提供した連絡先情報を読み込むステップと、
前記他のアクティブ・ユーザと前記インアクティブ・ユーザとの通信記録における前記インアクティブ・ユーザの連絡先情報を読み込むステップと、を含む。
【００１２】
ここで、前記連絡先情報は、電話番号情報、メール情報、インスタント通信アカウント情報、およびユーザがパブリック・プラットフォームに登録して生成した個人アカウント情報を含む。
【００１３】
本発明の実施例の第２の局面によれば、サーバに適用されているリマインド装置を提供し、
インアクティブ・ユーザを特定するためのインアクティブ・ユーザ特定モジュールと、
前記インアクティブ・ユーザがウェイクアップ可能な状態であるか否かを判定するためのインアクティブ・ユーザ判定モジュールと、
前記インアクティブ・ユーザがウェイクアップ可能な状態である場合、前記インアクティブ・ユーザにリマインド情報を送信するためのリマインド情報送信モジュールと、を含む。
【００１４】
更に、前記インアクティブ・ユーザ判定モジュールは、
他のアクティブ・ユーザの通信記録を取得するための通信記録取得ユニットと、
前記通信記録には前記インアクティブ・ユーザとの通信記録が含まれるか否かを判定し、肯定である場合、ウェイクアップ状態判定ユニットをトリガーするための通信記録判定ユニットと、
前記インアクティブ・ユーザがウェイクアップ可能な状態であることを特定するためのウェイクアップ状態判定ユニットと、を含む。
【００１５】
ここで、前記通信記録は、通話記録、ＳＭＳ記録、及び／またはメール記録を含む。
更に、前記リマインド情報送信モジュールは、
前記インアクティブ・ユーザの連絡先情報を取得するためのインアクティブ・ユーザ情報取得ユニットと、
前記連絡先情報に応じて、前記インアクティブ・クラウド・サービス・ユーザにリマインド情報を送信するための情報送信ユニットと、を含む。
【００１６】
更に、前記インアクティブ・ユーザ情報取得ユニットは、
前記インアクティブ・ユーザの登録時に提供した連絡先情報を読み込むための登録資料情報読込ユニットと、
前記他のアクティブ・ユーザと前記インアクティブ・ユーザとの通信記録における前記インアクティブ・ユーザの連絡先情報を読み込むための連絡先読込ユニットと、を含む。
【００１７】
ここで、前記連絡先情報は、電話番号情報、メール情報、インスタント通信アカウント情報、及びユーザがパブリック・プラットフォームに登録して生成した個人アカウント情報を含む。
【００１８】
本発明の実施例の第３の局面によれば、サーバを提供し、
プロセッサと、
プロセッサにより実行可能な指令を記憶するためのメモリと、を含み、
前記プロセッサは、
インアクティブ・ユーザを特定し、
前記インアクティブ・ユーザがウェイクアップ可能な状態であるか否かを判定し、
前記インアクティブ・ユーザがウェイクアップ可能な状態ではない場合、操作を行わないが、前記インアクティブ・ユーザがウェイクアップ可能な状態である場合、前記インアクティブ・ユーザにリマインド情報を送信する。
本発明のその他の態様は、
プロセッサに実行されることにより、前記方法を実現することを特徴とするプログラムを提供する。
本発明のその他の態様は、
前記プログラムが記録された記録媒体を提供する。
【００１９】
本発明の実施例に係る技術案は、以下の有益な効果を有する。
【００２０】
本発明において、サーバは、現在にインアクティブ・ユーザがいることを発見した場合、先ずインアクティブ・ユーザを特定し、引き続き該インアクティブ・ユーザがウェイクアップ可能な状態であるか否かを判定し、該インアクティブ・ユーザがウェイクアップ可能な状態ではない場合、該ユーザに対し操作を行わないが、該インアクティブ・ユーザがウェイクアップ可能な状態である場合、該インアクティブ・ユーザにリマインド情報を送信する。ここで、リマインド情報は、改めてサーバにより提供された対応機能を利用するよう該インアクティブ・ユーザにリマインドするために用いられる。したがって、サーバは、リマインド情報を送信する方式にてインアクティブ・ユーザをウェイクアップすることによって、サーバの対応機能を改めて利用するよう該インアクティブ・ユーザにリマインド氏、ユーザがサーバ機能を利用する便利さを大幅に向上できる。
【００２１】
以上の一般的な記述及び以下の詳細な記述は、例示のものに過ぎず、本開示を限定するものではないと理解すべきである。
【図面の簡単な説明】
【００２２】
ここでの図面は、本明細書の一部として、本発明に適切な実施例を示し、明細書と合わせて本発明の原理を解釈する。
【００２３】
【図１】本発明の実施例におけるリマインド方法を例示的に示すプロチャートである。
【図２】図１におけるステップＳ１０２の具体的な実現ステップを模式的に示す図である。
【図３】図１におけるステップＳ１０３の具体的な実現ステップを模式的に示す図である。
【図４】本発明の実施例におけるリマインド装置の構造を模式的に示す図である。
【図５】図４におけるインアクティブ・ユーザ判定モジュールに対応する構造を模式的に示す図である。
【図６】図４におけるリマインド情報送信モジュールに対応する構造を模式的に示す図である。
【図７】図６におけるインアクティブ・ユーザ情報取得ユニットに対応する構造を模式的に示す図である。
【図８】本発明の実施例に係る端末装置の実施例を示すブロック図である。
【発明を実施するための形態】
【００２４】
ここで、図面に示された例示的な実施例を詳細に説明する。以下のコンテンツにおいて、図面を言及するとき、特に説明しない限り、異なる図面における同じ数字が同一または同等の要素を示す。以下の例示的な実施例に記載の実施の形態は、本発明と一致するあらゆる実施の形態を代表するわけではない。逆に、それらは、添付された特許請求の範囲に詳細に記載される、本発明の一部の方面と一致する装置及び方法の例にすぎない。
【００２５】
図１は例示的な実施例におけるリマインド方法を示すプロチャートである。図１に示すように、リマインド方法はクラウドサーバーに用いられ、下記のステップを含む。
【００２６】
ステップＳ１０１において、インアクティブ・ユーザを特定する。
【００２７】
該ステップにおいて、サーバは、先ずインアクティブ・ユーザを特定する。実際的な適用中、サーバは、サーバにより提供された対応機能をユーザが利用する利用状態をモニタリングし、所定の時間帯内にユーザが持続的にサーバにより提供された関連機能を利用しないことをモニタリングしたら、このようなユーザをインアクティブ・ユーザとして特定する。
【００２８】
依然として、クラウドサービスのユーザを例として説明を行う。クラウドサーバーは、ユーザがクラウドサービスを利用する状態をモニタリングし、所定の時間帯内にあるクラウド・サービス・ユーザがクラウドサービスの関連機能を利用しないことをモニタリングした場合、このようなクラウド・サービス・ユーザをインアクティブ・クラウド・サービス・ユーザとして特定する。
【００２９】
ステップＳ１０２において、インアクティブ・ユーザがウェイクアップ可能な状態であるか否かを判定し、インアクティブ・ユーザがウェイクアップ可能な状態ではないと判定した場合、操作を行わないが、インアクティブ・ユーザがウェイクアップ可能な状態であると判定した場合、引き続きステップＳ１０３を実行する。
【００３０】
該ステップにおいて、サーバは、現在にインアクティブ・ユーザがいることをモニタリングした場合、インアクティブ・ユーザをウェイクアップするために、現在のインアクティブ・ユーザがウェイクアップ可能な状態であるか否かを判定しなければならない。本発明の実施例において、サーバは、現在のインアクティブ・ユーザがウェイクアップ可能な状態であると特定した場合、該インアクティブ・ユーザがウェイクアップ可能であると特定するが、逆に、サーバは、現在のインアクティブ・ユーザがウェイクアップ可能な状態ではないと特定した場合、該インアクティブ・ユーザがウェイクアップ不能であると特定し、該インアクティブ・ユーザに対してウェイクアップ操作を行わない。
【００３１】
ステップＳ１０３において、インアクティブ・ユーザにリマインド情報を送信する。
該ステップにおいて、サーバは、インアクティブ・ユーザがウェイクアップ可能な状態であると特定した場合、該インアクティブ・ユーザにリマインド情報を送信し、リマインド情報によって、インアクティブ・ユーザをウェイクアップすることができる。
【００３２】
例えば、クラウドサーバーは、あるインアクティブ・クラウド・サービス・ユーザがウェイクアップ可能な状態であると特定した場合、該インアクティブ・クラウド・サービス・ユーザにリマインド情報を送信し、例えば、現在にクラウドサーバーにデータが記憶されており、クラウドサービス機能を改めて利用することができることを該ユーザにリマインドすることによって、該インアクティブ・クラウド・サービス・ユーザをウェイクアップして、ユーザがクラウドサーバーにおいてバックアップされているデータを管理することに役立つことができる。
【００３３】
本発明の実施例に係る技術案は、下記の有益効果を有する。現在にインアクティブ・ユーザがいることをモニタリングした場合、先ずインアクティブ・ユーザを特定して、引き続き、該インアクティブ・ユーザがウェイクアップ可能な状態であるか否かを判定し、該インアクティブ・ユーザがウェイクアップ可能な状態ではないと判定した場合、該ユーザに対して操作を行わないが、該インアクティブ・ユーザがウェイクアップ可能な状態であると判定した場合、該インアクティブ・ユーザにリマインド情報を送信する。ここで、リマインド情報は、改めてサーバにより提供される対応機能を利用することを該インアクティブ・ユーザにリマインドするために用いられる。これにより、サーバは、リマインド情報を送信する方式にてインアクティブ・ユーザをウェイクアップすることによって、改めてサーバの対応機能を利用するよう該インアクティブ・ユーザをウェイクアップして、ユーザがサーバ機能を利用する便利さを大幅に向上できる。
本発明に係る一実施例において、図２に示すように、サーバは、インアクティブ・ユーザがウェイクアップ可能な状態であるか否かを判定するステップは、具体的には、下記のステップを含み得る。
【００３４】
ステップＳ２０１において、他のアクティブ・ユーザの通信記録を取得する。
【００３５】
ステップＳ２０２において、通信記録にはインアクティブ・ユーザとの通信記録が含まれるか否かを判定し、肯定であれば、引き続きステップＳ２０３を実行する。
【００３６】
ステップＳ２０３において、インアクティブ・ユーザがウェイクアップ可能な状態であることを特定する。
【００３７】
該実施例において、サーバは、通信記録に対する走査によって、インアクティブ・ユーザ以外の他の全てのアクティブ・ユーザの通信記録を取得する。このように操作する目的としては、通信記録走査結果にはアクティブ・ユーザとインアクティブ・ユーザとの通信記録が含まれるか否かを更に判定し、通信走査結果にアクティブ・ユーザとインアクティブ・ユーザとの通信記録が含まれると判定した場合、インアクティブ・ユーザが現在ウェイクアップ可能な状態であると表す。
【００３８】
上記実施例において、通信記録は、通常にアクティブ・ユーザとインアクティブ・ユーザとの通話記録、ＳＭＳ記録、または、メール記録を含み得る。
【００３９】
本発明に係る一実施例において、図３に示すように、サーバは、インアクティブ・ユーザにリマインド情報を送信するステップは、具体的には、下記のステップを含み得る。
【００４０】
ステップ３０１において、インアクティブ・ユーザの連絡先情報を取得する。
【００４１】
ステップ３０２において、連絡先情報に従い、インアクティブ・クラウド・サービス・ユーザにリマインド情報を送信する。
【００４２】
該実施例において、クラウドサーバーは、インアクティブ・ユーザの連絡先情報を取得することでインアクティブ・ユーザの連絡先を得ることによって、該連絡先情報に従い、インアクティブ・クラウド・サービス・ユーザにリマインド情報を送信することができる。
【００４３】
本発明の他の実施例において、インアクティブ・ユーザの連絡先情報を取得する方式は、インアクティブ・ユーザの登録時に提供した連絡先情報を読み込む方式、及び、他のアクティブ・ユーザとインアクティブ・ユーザとの通信記録におけるインアクティブ・ユーザの連絡先情報を読み込む方式を含む。
【００４４】
クラウド・サービス・ユーザを例としては、ユーザがクラウドサービスを登録する際に提供した資料情報に基づき、インアクティブ・クラウド・サービス・ユーザの連絡先情報を取得することができる。一般的には、クラウドサービスは、ユーザによるサービス登録を受けたときには、該ユーザと連絡するために通常にユーザの連絡先情報を含む一部の資料情報を書き込むようユーザを指示すべきである。具体的には、クラウドサーバーは、現在、あるユーザがインアクティブ・クラウド・サービス・ユーザであることをモニタリングした場合、インアクティブ・クラウド・サービス・ユーザのクラウドサービスを登録する際に提供した資料情報を読み込み、更に、資料情報からインアクティブ・クラウド・サービス・ユーザの連絡先情報を読み込む。
【００４５】
該実施の形態において、インアクティブ・クラウド・サービス・ユーザの連絡先情報の有効性について判定を行わなく、ユーザのクラウドサービスを登録する際に提供した資料情報から直接的にインアクティブ・クラウド・サービス・ユーザの連絡先情報を取得する。ユーザがクラウドサービスを登録する際に提供した連絡先情報は複数種類あり、例えば、ユーザの電話番号情報、メール情報、インスタント通信アカウント情報（例えば、騰訊ＱＱアカウント）、及びユーザがパブリック・プラットフォームに登録して生成した個人アカウント情報（例えば、微信番号）等を含み得る。実際的な適用状況においては、連絡先情報は上記の形式に限定されない。
【００４６】
クラウドサーバーは、インアクティブ・クラウド・サービス・ユーザの連絡先情報を取得したら、該連絡先情報に従い、インアクティブ・クラウド・サービス・ユーザにリマインド情報を送信することができる。具体的には、取得された連絡先情報がユーザの電話番号情報である場合、該電話番号にＳＭＳを送信することによってリマインドを行うこともできるし、クラウドカスタマーサービスより該電話番号へリマインド電話をかけることもできる。取得された連絡先情報がユーザのメール情報である場合、該メールにリマインドメールを送信することができる。取得された連絡先情報がユーザのインスタント通信アカウント情報である場合、該インスタント通信アカウント情報にインスタントリマインド会話メッセージを送信することができる。取得された連絡先情報がユーザがパブリック・プラットフォームに登録して生成した個人アカウント情報である場合、該個人アカウント情報にリマインドメッセージを送信することができる。
【００４７】
具体的な適用状況において、ユーザがクラウドサービスを登録する際に提供した連絡先情報は、上記方式の一種または複数種類であり得る。本発明はこれを限定するものではない。
【００４８】
これから分かるように、インアクティブ・クラウド・サービス・ユーザの連絡先情報が複数種類ある場合、異なる形式の連絡先情報に対応して、該連絡先にリマインド情報を送信する方式も異なってもよい。
【００４９】
以下、依然としてクラウドサービスの具体的な適用状況を例として上記のリマインド過程を詳しく説明する。
【００５０】
ユーザＡは、クラウドサーバーでクラウドサービスを登録し、クラウドサーバーは、ユーザＡがクラウドサービスを利用する状態をモニタリングする。所定の時間帯内に、ユーザＡがクラウドサービスの関連機能を利用しないことをモニタリングした場合、ユーザＡをインアクティブ・クラウド・サービス・ユーザとして特定する。ユーザＡをウェイクアップするために、クラウドサーバーは、ユーザＡの連絡先情報を特定しなければならない。一実施形態において、クラウドサーバーは、通信記録に対する走査によって、インアクティブ・クラウド・サービス・ユーザＡ以外の他の全てのアクティブ・クラウド・サービス・ユーザの通信記録を取得し、通信記録走査結果にはアクティブ・クラウド・サービス・ユーザとユーザＡとの通信記録が含まれるか否かを判定し、通信走査結果にはアクティブ・クラウド・サービス・ユーザとユーザＡとの通信記録が含まれると判定した場合、ユーザＡの現在の連絡先が依然として有効であることを表し、該アクティブ・クラウド・サービス・ユーザとユーザＡとの通信記録からユーザＡの連絡先情報を抽出する。他の実施形態において、クラウドサーバーは、通信記録に対する走査によって、アクティブ・クラウド・サービス・ユーザとユーザＡとの通信記録をモニタリングしない場合、ユーザＡがクラウドサービスを登録する際に提供した資料情報を読み込み、更に、資料情報からユーザＡの連絡先情報を読み込む。クラウドサーバーは、ユーザＡの連絡先情報を取得したら、該連絡先情報に従い、ユーザＡにリマインド情報を送信することによって現在にクラウドサーバーにデータがバックアップされていることをユーザＡにリマインドすることができる。
【００５１】
上記方法実施例に対応して本発明は更にリマインド装置も提供し、該装置がサーバに適用され得る。図４は該装置の具体的な実施例を示す図である。該装置は具体的には、
インアクティブ・クラウド・サービス・ユーザを特定するためのインアクティブ・ユーザ特定モジュール４０１と、
インアクティブ・ユーザがウェイクアップ可能な状態であるか否かを判定するためのインアクティブ・ユーザ判定モジュール４０２と、
インアクティブ・ユーザがウェイクアップ可能な状態である場合、インアクティブ・ユーザにリマインド情報を送信するためのリマインド情報送信モジュール４０３と、を含む。
【００５２】
本発明の実施例において、リマインド装置におけるインアクティブ・ユーザ特定モジュールは、サーバにより提供された対応機能をユーザが利用する利用状態をモニタリングし、所定の時間帯内に、ユーザが持続的にサーバにより提供された関連機能を利用しないことをモニタリングした場合、このようなユーザをインアクティブ・ユーザとして特定する。インアクティブ・クラウド・サービス・ユーザをウェイクアップするために、リマインド装置は、インアクティブ・ユーザ判定モジュールによって、現在にインアクティブ・ユーザがウェイクアップ可能な状態であるか否かを判定しなければならない。サーバは、現在インアクティブ・ユーザがウェイクアップ可能な状態であると特定した場合、該インアクティブ・ユーザがウェイクアップ可能であると特定し、リマインド情報送信モジュールによって該インアクティブ・ユーザにリマインド情報を送信し、リマインド情報によってインアクティブ・ユーザをウェイクアップすることができる。
【００５３】
本発明に係るリマインド装置の実施例において、現在にインアクティブ・ユーザがいることをモニタリングした場合、先ず、インアクティブ・ユーザを特定して、引き続き該インアクティブ・ユーザがウェイクアップ可能な状態であるか否かを判定し、該インアクティブ・ユーザがウェイクアップ可能な状態ではないと判定した場合、該ユーザに対し操作を行わないが、該インアクティブ・ユーザがウェイクアップ可能な状態であると判定した場合、該インアクティブ・ユーザにリマインド情報を送信する。ここで、リマインド情報は、改めてサーバにより提供される対応機能を利用するよう該インアクティブ・ユーザにリマインドするために用いられる。これによって、サーバは、リマインド情報を送信する方式にて、インアクティブ・ユーザをウェイクアップすることによって、改めてサーバの対応機能を利用するよう該インアクティブ・ユーザにリマインドし、ユーザがサーバ機能を利用する便利さを大幅に向上できる。
【００５４】
本発明に係る一実施例において、図５に示すように、インアクティブ・ユーザ判定モジュールの一実施形態としては、下記の実行ユニットを含み得る。
【００５５】
通信記録取得ユニット５０１は、他のアクティブ・ユーザの通信記録を取得するために用いられる。
【００５６】
通信記録判定ユニット５０２は、通信記録にはインアクティブ・クラウド・サービス・ユーザとの通信記録が含まれるか否かを判定するために用いられ、肯定である場合、ウェイクアップ状態判定ユニット５０３をトリガーする。
【００５７】
ウェイクアップ状態判定ユニット５０３は、インアクティブ・ユーザがウェイクアップ可能な状態であることを特定するために用いられる。
【００５８】
該実施例において、通信記録に対する走査によって、インアクティブ・ユーザ以外の他の全てのアクティブ・ユーザの通信記録を取得する。このように操作する目的としては、通信記録走査結果にはアクティブ・ユーザとインアクティブ・ユーザとの通信記録が含まれるか否かを更に判定し、通信走査結果にはアクティブ・ユーザとインアクティブ・ユーザとの通信記録が含まれると判定した場合、インアクティブ・ユーザが現在にウェイクアップ可能な状態であることを表す。
【００５９】
上記の実施例において、通信記録は、通常にアクティブ・ユーザとインアクティブ・ユーザとの通話記録、ＳＭＳ記録、または、メール記録を含み得る。
【００６０】
本発明に係る一実施例において、図６に示すように、リマインド情報送信モジュールの一実施形態としては、下記の実行ユニットを含み得る。
【００６１】
インアクティブ・ユーザ情報取得ユニット６０１は、前記インアクティブ・ユーザの連絡先情報を取得するために用いられる。
【００６２】
情報送信ユニット６０２は、前記連絡先情報に従い、前記インアクティブ・クラウド・サービス・ユーザにリマインド情報を送信するために用いられる。
【００６３】
更に、本発明の他の実施例において、図７に示すように、インアクティブ・ユーザ情報取得ユニットの一実施形態としては、下記の実行ユニットを含み得る。
【００６４】
登録資料情報読込ユニット７０１は、インアクティブ・ユーザの登録時に提供した連絡先情報を読み込むために用いられる。
【００６５】
連絡先読込ユニット７０２は、他のアクティブ・ユーザとインアクティブ・ユーザとの通信記録におけるインアクティブ・ユーザの連絡先情報を読み込むために用いられる。
【００６６】
相応に、本発明の実施例は更にプロセッサー、プロセッサーの実行可能な命令を記憶するためのメモリを含み得るサーバを提供し、ここで、プロセッサーは、
インアクティブ・ユーザを特定し、
インアクティブ・ユーザがウェイクアップ可能な状態であるか否かを判定し、
インアクティブ・ユーザがウェイクアップ可能な状態ではないと判定した場合、操作を行わないが、インアクティブ・ユーザがウェイクアップ可能な状態であると判定下場合、インアクティブ・ユーザにリマインド情報を送信する。
【００６７】
上記の実施例における装置に関しては、各モジュールが操作を実行する具体的な方式は既に該方法に係わる実施例において詳細に記載されているので、ここに詳しく説明しない。
【００６８】
図８は本発明に係る端末装置の実施例のブロック図である。ここで、装置８００は、携帯電話、コンピュータ、デジタル放送端末、メッセージ受発信手段、ゲームコンソール、タブレットデバイス、医療機器、フィットネス機器、パーソナルデジタルアシスタント等であってもよい。
【００６９】
図８を参照して、装置８００は、プロセッサアセンブリ８０２、メモリ８０４、電源アセンブリ８０６、マルチメディアアセンブリ８０８、オーディオアセンブリ８１０、入力／出力（Ｉ／Ｏ）インターフェイス８１２、センサアセンブリ８１４、及び通信アセンブリ８１６のような一つ以上のアセンブリを含んでよい。
【００７０】
プロセッサアセンブリ８０２は、一般的には装置８００の全体の操作を制御するものであり、例えば、表示、電話呼び出し、データ通信、カメラ操作、及び記録操作と関連する操作を制御する。プロセッサアセンブリ８０２は、一つ以上のプロセッサ８２０を含み、これらによって命令を実行することにより、上記の方法の全部、或は一部のステップを実現するようにしてもよい。なお、プロセッサアセンブリ８０２は、一つ以上のモジュールを含み、これらによってプロセッサアセンブリ８０２と他のアセンブリの間のインタラクションを容易にするようにしてもよい。例えば、プロセッサアセンブリ８０２は、マルチメディアモジュールを含み、これらによってマルチメディアアセンブリ８０８とプロセッサアセンブリ８０２の間のインタラクションを容易にするようにしてもよい。
【００７１】
メモリ８０４は、各種類のデータを記憶することにより装置８００の操作を支援するように構成される。これらのデータの例は、装置８００において操作されるいずれのアプリケーションプログラム又は方法の命令、連絡対象データ、電話帳データ、メッセージ、画像、ビデオ等を含む。メモリ８０４は、いずれの種類の揮発性メモリ、不揮発性メモリ記憶デバイスまたはそれらの組み合わせによって実現されてもよく、例えば、ＳＲＡＭ（Ｓｔａｔｉｃ  Ｒａｎｄｏｍ  Ａｃｃｅｓｓ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＰＲＯＭ（Ｐｒｏｇｒａｍｍａｂｌｅ  ＲＯＭ）、ＲＯＭ（Ｒｅａｄ  Ｏｎｌｙ  Ｍｅｍｂｅｒ）、磁気メモリ、フラッシュメモリ、磁気ディスク、或いは光ディスクである。
【００７２】
電源アセンブリ８０６は、装置８００の多様なアセンブリに電力を供給する。電源アセンブリ８０６は、電源管理システム、一つ以上の電源、及び装置８００のための電力の生成、管理及び割り当てに関連する他のアセンブリを含んでもよい。
【００７３】
マルチメディアアセンブリ８０８は、前記装置８００とユーザの間に一つの出力インターフェイスを提供するスクリーンを含む。上記の実施例において、スクリーンは液晶モニター（ＬＣＤ）とタッチパネル（ＴＰ）を含んでもよい。スクリーンがタッチパネルを含むことにより、スクリーンはタッチスクリーンを実現することができ、ユーザからの入力信号を受信することができる。タッチパネルは一つ以上のタッチセンサを含んでおり、タッチ、スライド、及びタッチパネル上のジェスチャを検出することができる。前記タッチセンサは、タッチ、或はスライドの動作の境界だけでなく、前記のタッチ、或はスライド操作に係る継続時間及び圧力も検出できる。上記の実施例において、マルチメディアアセンブリ８０８は、一つのフロントカメラ、及び／又はリアーカメラを含む。装置８００が、例えば撮影モード、或はビデオモード等の操作モードにある場合、フロントカメラ、及び／又はリアーカメラは外部からマルチメディアデータを受信できる。フロントカメラとリアーカメラのそれぞれは、一つの固定型の光レンズ系、或は可変焦点距離と光学ズーム機能を有するものであってもよい。
【００７４】
オーディオアセンブリ８１０は、オーディオ信号をインターフェースするように構成されてもよい。例えば、オーディオアセンブリ８１０は、一つのマイク（ＭＩＣ）を含み、装置８００、例えば呼出しモード、記録モード、及び音声認識モード等の操作モードにある場合、マイクは外部のオーディオ信号を受信することができる。受信されたオーディオ信号は、さらにメモリ８０４に記憶されたり、通信アセンブリ８１６を介して送信されたりされる。上記の実施例において、オーディオアセンブリ８１０は、オーディオ信号を出力するための一つのスピーカーをさらに含む。
【００７５】
入力／出力（Ｉ／Ｏ）インターフェイス８１２は、プロセッサアセンブリ８０２と周辺インターフェイスモジュールの間にインターフェイスを提供するものであり、上記周辺インターフェイスモジュールは、キーボード、クリックホイール、ボタン等であってもよい。これらのボタンは、ホームボタン、ボリュームボタン、起動ボタン、ロッキングボタンを含んでもよいが、これらに限定されない。
【００７６】
センサアセンブリ８１４は、装置８００に各方面の状態に対する評価を提供するための一つ以上のセンサを含む。例えば、センサアセンブリ８１４は、装置８００のＯＮ／ＯＦＦ状態、装置８００のディスプレイとキーパッドのようなアセンブリの相対的な位置決めを検出できる。また、例えば、センサアセンブリ８１４は、装置８００、或は装置８００の一つのアセンブリの位置変更、ユーザと装置８００とが接触しているか否か、装置８００の方位、又は加速／減速、装置８００の温度の変化を検出できる。センサアセンブリ８１４は、何れの物理的接触がない状態にて付近の物体の存在を検出するための近接センサを含んでもよい。センサアセンブリ８１４は、撮影アプリケーションに適用するため、ＣＭＯＳ、又はＣＣＤ図像センサのような光センサを含んでもよい。上記の実施例において、該センサアセンブリ８１４は、加速度センサ、ジャイロスコープセンサ、磁気センサ、圧力センサ、及び温度センサをさらに含んでもよい。
【００７７】
通信アセンブリ８１６は、装置８００と他の機器の間に有線、又は无線形態の通信を提供する。装置８００は、例えばＷｉＦｉ、２Ｇ、３Ｇ、或はこれらの組み合わせのような、通信規格に基づいた无線ネットワークに接続されてもよい。一つの例示的な実施例において、通信アセンブリ８１６は、放送チャンネルを介して外部の放送管理システムからの放送信号、又は放送に関連する情報を受信する。一つの例示的な実施例において、前記通信アセンブリ８１６は、近距離無線通信（ＮＦＣ）モジュールをさらに含むことにより、近距離通信を推進するようにする。例えば、ＮＦＣモジュールは、ＲＦＩＤ（Ｒａｄｉｏ  Ｆｒｅｑｕｅｎｃｙ  ＩＤｅｎｔｉｆｉｃａｔｉｏｎ）技術、ＩｒＤＡ（Ｉｎｆｒａｒｅｄ  Ｄａｔａ  Ａｓｓｏｃｉａｔｉｏｎ）技術、ＵＷＢ（Ｕｌｔｒａ  Ｗｉｄｅ  Ｂａｎｄ）技術、ＢＴ（Ｂｌｕｅｔｏｏｔｈ）技術、他の技術に基づいて実現できる。
【００７８】
例示的な実施例において、装置８００は、一つ以上のＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＤＳＰ（Ｄｉｇｉｔａｌ  Ｓｉｇｎａｌ  Ｐｒｏｃｅｓｓｏｒ）、ＤＳＰＤ（Ｄｉｇｉｔａｌ  Ｓｉｇｎａｌ  Ｐｒｏｃｅｓｓｉｎｇ  Ｄｅｖｉｃｅ）、ＰＬＤ（Ｐｒｏｇｒａｍｍａｂｌｅ  Ｌｏｇｉｃ  Ｄｅｖｉｃｅ）、ＦＰＧＡ（Ｆｉｅｌｄ−Ｐｒｏｇｒａｍｍａｂｌｅ  Ｇａｔｅ  Ａｒｒａｙ）、コントローラ、マイクロコントローラ、マイクロプロセッサ、または他の電子部品によって実現されるものであり、上記方法を実行する。
【００７９】
例示的な実施例において、さらに、命令を含む不揮発的なコンピュータで読み取り可能な記憶媒体、例えば命令を含むメモリ８０４を提供しており、装置８００のプロセッサ８２０により上記命令を実行して上記方法を実現する。例えば、前記不揮発的なコンピュータで読み取り可能な記憶媒体は、ＲＯＭ、ＲＡＭ（Ｒａｎｄｏｍ−Ａｃｃｅｓｓ  Ｍｅｍｏｒｙ）、ＣＤ−ＲＯＭ（Ｃｏｍｐａｃｔ  Ｄｉｓｃ  ＲＯＭ）、磁気テープ、フロッピーディスク、光データ記憶デバイス等である。
【００８０】
当業者は、本明細書に開示された発明の詳細を考慮し、実施することにより、本発明の他の実施方案を容易に想定することができる。本出願は、本発明のいかなる変形、用途、又は適応的な変化を含むことを目的としており、いかなる変形、用途、又は適応的な変化は、本発明の一般原理に基づいて、且つ本開示において公開されていない本技術分野においての公知常識又は慣用技術手段を含む。明細書及び実施例は、例示的なものを開示しており、本発明の保護範囲と主旨は、特許請求の範囲に記述される。
【００８１】
本発明は、上記において開示された構成又は図面に示した構造に限定されるものではなく、本発明の範囲内であれば、様々な補正又は変更を行うことができる。本発明の範囲は、特許請求の範囲により制限される。
【図１】
0006349040.tif 000002
【図２】
0006349040.tif 000003
【図３】
0006349040.tif 000004
【図４】
0006349040.tif 000005
【図５】
0006349040.tif 000006
【図６】
0006349040.tif 000007
【図７】
0006349040.tif 000008
【図８】
0006349040.tif 000009